(57)【要約】 【課題】  化学物質である忌避剤を用いずに、動物に物理的な痛みを与えて、動物を忌避しうる合成繊維製ネットよりなる動物忌避ネットを提供する。【解決手段】  この動物忌避ネットは、合成繊維製ラッセル編ネットよりなる。このネットの脚１及び結節２は、二本の鎖編糸Ａ，Ｂと挿入糸Ｃとで編成されている。鎖編糸Ａは、所定のコースでループパイル４ａを形成するように編成される。そして、編成直後に、ループパイル４ａの頂上付近が、編成針に設けられたカット刃で切断される。この結果、ループパイル４ａはカットパイル４となる。鎖編糸Ａは、高剛性のモノフィラメントで形成されている。したがって、カットパイル４は、この高剛性のために、ほぼ直立した状態となり、カットパイル４の先端が外方を向くことになる。カットパイル４の先端に動物が接触すると、動物に痛み等の刺激が与えられ、動物がこのネットに近づかなくなる。【選択図】  図１
2006340674.tif 000002
【特許請求の範囲】
【請求項１】
脚と結節とを持つ合成繊維製ラッセル編ネットであって、該脚と該結節とは、二本の鎖編糸Ａ，Ｂと挿入糸Ｃとで編成されており、そのうちの一本の鎖編糸Ａは、所定のコースでループパイルを形成するように編成されると共に、該ループパイルの頂上付近が切断されてカットパイルを形成しており、該鎖編糸Ａは高剛性のモノフィラメントで形成されていることを特徴とする動物忌避ネット。
【請求項２】
鎖編糸Ａは、少なくとも二本以上のモノフィラメントで構成されている請求項１記載の動物忌避ネット。
【請求項３】
鎖編糸Ａは、少なくとも二本以上のモノフィラメントに撚りを施して形成されたものであり、その撚り回数は、ループパイルの長さにおいて少なくとも一回以上である請求項１記載の動物忌避ネット。
【請求項４】
ループパイルは、３〜５コース毎に設けられる請求項１記載の動物忌避ネット。
【請求項５】
鎖編糸Ａ，Ｂは、各々、少なくとも二本以上のモノフィラメントで構成されており、鎖編糸Ａ中のモノフィラメントの繊度は５００〜１０００デニールであり、鎖編糸Ｂ中のモノフィラメントの繊度は１０００〜１５００デニールである請求項１記載の動物忌避ネット。
【発明の詳細な説明】
【技術分野】
【０００１】
本発明は、農作物等を耕作する耕作地や、農作物等を保管しておく倉庫に、猪、鹿、鼠等の動物が進入して、農作物等を食い荒らすという被害を防止するための動物忌避ネットに関するものである。
【背景技術】
【０００２】
最近、農作物を耕作する耕作地に、猪や鹿等の動物が進入し、農作物を食い荒らしてしまうという農作物被害が増大している。また、農作物等を保管しておく倉庫にも、鼠や兎が進入し、農作物を食い荒らしてしまうという農作物被害も増大している。この理由は、最近の土地開発により、森林が少なくなり、鳥獣類の食料が少なくなってきていることによる。
【０００３】
農作物被害を防止するため、耕作地の周囲に合成繊維製又は金属製ネットを張設したり、倉庫内の農作物保管箇所に合成繊維製又は金属製ネットを張設することが行われている。しかしながら、金属製ネットは重量が重く、張設したり取り外したりするのに手間取るということがあった。一方、合成繊維製ネットは重量が軽いため、このようなことは少ないが、鹿等の動物によって簡単に食いちぎられ、その進入を十分防止することができないということがあった。
【０００４】
このため、合成繊維製ネットの構成繊維中又は構成繊維間に、カプサイシン類、天然わさび、芥子油、トウガラシ、クレゾール、コールタール等の忌避剤を、含浸又は保持させておくことが行われている（特許文献１及び２）。このような忌避剤は、その臭いによって動物が近づかないようにするもの、動物が食べたり舐めたりするときの刺激によって動物が近づかないようにするものである。
【０００５】
しかしながら、合成樹脂製ネットに、このような化学物質である忌避剤を含浸保持させることは、合成樹脂製ネットの製造作業者や設置作業者にとっては、作業環境上、好ましくないものである。なぜなら、臭いによる忌避剤を用いる場合、作業者は異臭の中で作業をしなければならず、その環境は極めて劣悪となる。また、食べたとき等の刺激による忌避剤を用いる場合、その忌避剤が作業者の皮膚に付着すると、アレルギー、湿疹、かぶれ等によるかゆみを引き起こすことがあり、その環境も極めて劣悪である。さらには、このような化学物質を多量に吸引すると、作業者の健康を害するということもある。
【０００６】
【特許文献１】特開平６−２３７６８０号公報（第２頁、特許請求の範囲）
【特許文献２】特開２００４−２１７６２３公報（第２頁、特許請求の範囲）
【発明の開示】
【発明が解決しようとする課題】
【０００７】
そこで、本発明は、作業環境上好ましくない化学物質である忌避剤を用いずに、動物に物理的な痛み等を与えて、動物を忌避しうる合成繊維製ネットを提供することを課題とするものである。
【課題を解決するための手段】
【０００８】
すなわち、本発明は、脚と結節とを持つ合成繊維製ラッセル編ネットであって、該脚と該結節とは、二本の鎖編糸Ａ，Ｂと挿入糸Ｃとで編成されており、そのうちの一本の鎖編糸Ａは、所定のコースでループパイルを形成するように編成されると共に、該ループパイルの頂上付近が切断されてカットパイルを形成しており、該鎖編糸Ａは高剛性のモノフィラメントで形成されていることを特徴とする動物忌避ネットに関するものである。
【０００９】
本発明に係る動物忌避ネットは、合成繊維製ラッセル編ネットよりなる。すなわち、合成繊維糸条を用いてラッセル編組織で編成されてなる網状物である。合成繊維製ラッセル編ネットは、図１に示すように、脚１と結節２とからなる。脚１と結節２で形成される網目３の形状は従来周知のものが用いられ、たとえば、角目、菱目又は亀甲目等が採用される。網目３の大きさは、忌避する動物によって異なり、猪や鹿等の大型又は中型の動物の場合には１００ｍｍ2程度が好ましく、鼠や兎等の小型の動物の場合には２５ｍｍ2程度が好ましい。
【００１０】
本発明で用いる合成繊維製ラッセル編ネットの脚１は、いずれも、鎖編糸Ａ，Ｂと挿入糸Ｃとで編成されている。したがって、結節２も、鎖編糸Ａ，Ｂと挿入糸Ｃとで編成されている。鎖編糸Ａは、鎖編みされているだけではなく、カットパイル４を形成するためのものである。
【００１１】
鎖編糸Ａは、高剛性のモノフィラメントよりなる糸条を用いる。高剛性のモノフィラメントを用いる理由は、これがカットパイル４となるためである。すなわち、高剛性のカットパイル４によって、その先端で動物を刺して刺激を与え、忌避するのに好適だからである。また、鎖編糸Ａを構成している糸条は、一本又は二本以上のモノフィラメントで形成されている。二本以上のモノフィラメントからなる糸条を用いると、カットパイル４を構成する高剛性のモノフィラメントの数が多くなり、動物を忌避するのに、より好適である。
【００１２】
鎖編糸Ａを構成している糸条が、二本以上のモノフィラメントで形成されている場合、この二本以上のモノフィラメントには、撚りが施されているのが、好ましい。この理由は、編成時に糸条がばらけにくく、取り扱いやすいからである。また、撚りが施されている場合、撚り回数は、ループパイルの長さにおいて１回以上であるのが、好ましい。この理由は、ループパイルを切断した場合、カットパイルが左右方向にばらけやすくなり、カットパイルの方向性が少なくなるからである。
【００１３】
鎖編糸Ａに用いられる高剛性のモノフィラメントとしては、従来公知の任意のものが採用される。一般的には、繊度が５００〜１０００デニール程度のポリエステルモノフィラメント又は繊度が５００〜１０００デニール程度のポリエチレンモノフィラメントを用いるのが、好ましい。もちろん、これよりも細い繊度のものや太い繊度のものを用いても、差し支えない。
【００１４】
鎖編糸Ｂとしては、マルチフィラメント糸条やモノフィラメント糸条等の従来公知のものを採用すればよい。本発明においては、特に、高剛性のモノフィラメントよりなる糸条を用いるのが好ましい。鎖編糸Ａと鎖編糸Ｂとを、バランスよく編成しうるからである。鎖編糸Ａだけではなく、鎖編糸Ｂを併用する理由は、鎖編糸Ａは、所定のコースで切断されカットパイル４が形成されるからである。すなわち、鎖編糸Ａだけで編成すると、ネットの強度が低下する恐れがあるからである。鎖編糸Ｂの剛性は、鎖編糸Ａの剛性と同等程度であってもよいし、前者の剛性の方が高くてもよいし、また前者の剛性の方が低くてもよい。また、鎖編糸Ｂを構成している糸条も、一本又は二本以上のモノフィラメントで形成されているのが好ましい。
【００１５】
鎖編糸Ｂに用いられる高剛性のモノフィラメントとしても、従来公知の任意のものが採用される。一般的には、繊度が１０００〜１５００デニール程度のポリエチレンモノフィラメント又は繊度が１０００〜１５００デニール程度のポリエステルモノフィラメントを用いるのが、好ましい。もちろん、これよりも細い繊度のものや太い繊度のものを用いても、差し支えない。
【００１６】
挿入糸Ｃとしては、従来公知の糸が用いられ、モノフィラメント、マルチフィラメント、紡績糸等が用いられる。一般的には、繊度が１〜２デニール程度のフィラメントを集束してなる、繊度が１０００〜１８００デニール程度のマルチフィラメントが用いられる。具体的には、超高強力ポリエチレンフィラメントを１０００〜１６００本集束してなる、繊度が１０００〜１８００デニール程度のマルチフィラメントを用いるのが好ましい。マルチフィラメントを用いる理由は、ネットに柔軟性を付与するためである。
【００１７】
上記した鎖編糸Ａ，Ｂ及び挿入糸Ｃを用いて、本発明に係る動物忌避ネットを編成するには、ダブルラッセル編機を用い、鎖編糸Ａを編成する針にカット刃を設けておけばよい。カット刃は、編成針の根元（編成針の引っ掛け部と反対側の箇所）に設ける。そして、所定のコースで編成されたループパイル４ａに、カット刃を当てることにより、ループパイル４ａの頂上付近が切断され、カットパイル４が形成されるのである。このループパイル４ａの編成及びループパイル４ａの切断以外は、従来公知のダブルラッセル編機による編成で、合成繊維製ラッセル編ネットが得られるのである。
【００１８】
なお、以上の説明では、鎖編糸Ａ，Ｂ及び挿入糸Ｃを用いて動物忌避ネットを編成したが、鎖編糸を更にもう一本又は二本以上追加して用いてもよいし、また、挿入糸Ｃも更にもう一本又は二本以上追加して用いてもよい。
【発明の効果】
【００１９】
本発明に係る動物忌避ネットは、合成繊維製ラッセル編ネットであって、ネットを形成している脚又は結節には、カットパイルが形成されている。そして、カットパイルは、高剛性のモノフィラメントよりなるものであるから、カット端がほぼ直立した状態となって外方を向いている。したがって、動物が近づくと、カット端が動物に触れ、動物に痛み等の刺激が与えられる。この刺激は、動物にとって不快なものであるため、動物は、このネットに近づかなくなり、動物を忌避しうる。
【００２０】
よって、このような動物忌避ネットを、農作物等を耕作する耕作地の周囲や、倉庫の農作物等の保管箇所に張設しておくと、猪、鹿、鼠、兎等の動物が、耕作地に進入したり、倉庫の農作物の保管箇所に進入するのを防止でき、農作物等が動物に食い荒らされるのを防止しうるという効果を奏する。
【００２１】
また、本発明に係る動物忌避ネットの場合、化学物質である忌避剤を含有させなくてもよいので、忌避剤の異臭や付着によって、製造作業者や設置作業者の労働環境が悪化しないという効果をも奏する。
【実施例】
【００２２】
以下の糸条を準備した。
［鎖編糸Ａ］
繊度６００デニールのポリエステルモノフィラメントを２本、撚り合わせてなる糸条を鎖編糸Ａとした。
［鎖編糸Ｂ］
繊度１２００デニールのポリエチレンモノフィラメントを４本、撚り合わせてなる糸条を鎖編糸Ｂとした。
［挿入糸Ｃ］
繊度約１デニールの高強力ポリエチレンフィラメントを１１７０本、集束してなる繊度１２００デニールのマルチフィラメント糸条を挿入糸Ｃとした。
【００２３】
上記の鎖編糸Ａ，Ｂ及び挿入糸Ｃを使用して、図２に示す編組織にて、ダブルラッセル編機でネットを編成した。この編組織は、３コース毎にループパイル４ａが設けられ、この頂上付近が編成直後に切断されてカットパイル４となる。また、結節は３コースに亙って、挿入糸Ｃを隣り合う鎖編糸に振ることによって設けられている。その他については、図２に示したとおりである。
【００２４】
このネットは、図１に示す如く、ループパイル４ａの頂上付近が切断されたカットパイル４を多数具備するものであった。カットパイル４の先端は、ほぼ直立して外方を向いており、動物がこれに接触すると痛み等の刺激を感じるものである。したがって、これを動物忌避ネットとして用いれば、動物が近づくのを有効に防止しうるものである。
【図面の簡単な説明】
【００２５】
【図１】本発明の一例に係る動物忌避ネットを模式的に現した平面図である。
【図２】本発明に係る動物忌避ネットを編成する際の編組織の一例を示す模式図である。
【符号の説明】
【００２６】
１    脚
２    結節
３    網目
４    カットパイル
４ａ  ループパイル
【図１】
2006340674.tif 000003
【図２】
2006340674.tif 000004